(57)【要約】【課題】プラズマ処理の面内均一性を向上させるとともに、消耗した上部電極の交換が容易に行えるプラズマ処理装置用電極板を提供する。【解決手段】複数の電極構成板が積層されるとともに、電極構成板の厚さ方向に貫通するガス通過孔１１が複数設けられてなる電極板３に、隣り合う電極構成板３ａ，３ｂの対向面間の外周部にガス通過孔１１を避けて複数の溝状の凹部３２Ａ〜３２Ｅによる空隙部ｓ１が設けられるとともに、空隙部ｓ１は電極構成板３ａの外周面に開口するように設けられており、両電極構成板３ａ，３ｂの単位面積当たりの接触面積が電極板３の中央部に比べて外周部の方が小さく形成されている。【選択図】      図１
2011129557.tif 000002
【特許請求の範囲】
【請求項１】
複数の電極構成板が積層されるとともに、該電極構成板の厚さ方向に貫通するガス通過孔が複数設けられてなるプラズマ処理装置用電極板であって、隣り合う電極構成板の対向面間の外周部には、これら両電極構成板の少なくとも一方に、前記ガス通過孔を避けて複数の溝状の空隙部が設けられるとともに、該空隙部は少なくとも一部が前記電極構成板の外周面に開口するように設けられており、前記両電極構成板の単位面積当たりの接触面積が、電極板の中央部に比べて外周部の方が小さく形成されていることを特徴とするプラズマ処理装置用電極板。
【請求項２】
前記空隙部は、相互に連通状態に形成されていることを特徴とする請求項１に記載のプラズマ処理装置用電極板。
【発明の詳細な説明】
【技術分野】
【０００１】
本発明は、プラズマ処理装置においてプラズマ生成用ガスを厚さ方向に通過させながら放電するプラズマ処理装置用電極板に関する。
【背景技術】
【０００２】
半導体デバイス製造プロセスに使用されるプラズマエッチング装置やプラズマＣＶＤ装置等のプラズマ処理装置は、チャンバー内に、高周波電源に接続される上部電極と下部電極とを、例えば、上下方向に対向配置し、下部電極の上に被処理基板を配置した状態として、上部電極に形成した貫通孔からエッチングガスを被処理基板に向かって流通させながら高周波電圧を印加することによりプラズマを発生させ、被処理基板にエッチング等の処理を行う構成とされている。
【０００３】
このプラズマ処理装置で使用される上部電極として、一般に、シリコン製の電極板を冷却板に固定し重ね合わせた積層電極板が用いられており、プラズマ処理中に上昇する電極板の熱は、冷却板を通して放熱されるように構成されている。
プラズマ処理中において電極板の温度分布が不均一になると、被処理基板の場所によりエッチング深さがばらつき、被処理基板全体に均一なエッチングを行うことができないため、電極板の温度分布を一定にする必要がある。
そこで、例えば、特許文献１では、電極板の温度分布の不均一性を解消すべく、電極板の背面に金属膜を介して冷却板を締結固定しているが、さらなる面内均一性の向上が求められている。
【０００４】
一方、上部電極は、プラズマ処理を繰り返して行うことにより、プラズマにさらされる部分が削られて消耗するため、装置の稼働時間に合わせて交換を必要とされる。
例えば、特許文献２では、上部電極の消耗による交換に対するコスト削減として、電極板を二体構造とし、電極板の一部を交換可能としている。
しかし、この二体構造とした電極板は、プラズマ処理中の真空状態で脱気され密着されるため、ボルトを外しただけでは容易に剥がれず、消耗した電極板のみを交換することは困難であった。
【先行技術文献】
【特許文献】
【０００５】
【特許文献１】特開平１１−２５６３７０号公報
【特許文献２】特開２００３−３３２３１４号公報
【発明の概要】
【発明が解決しようとする課題】
【０００６】
本発明は、このような事情に鑑みてなされたもので、プラズマ処理の面内均一性を向上させるとともに、消耗した上部電極の交換が容易に行えるプラズマ処理装置用電極板を提供する。
【課題を解決するための手段】
【０００７】
本発明の電極板は、複数の電極構成板が積層されるとともに、該電極構成板の厚さ方向に貫通するガス通過孔が複数設けられてなるプラズマ処理装置用電極板であって、隣り合う電極構成板の対向面間の外周部には、これら両電極構成板の少なくとも一方に、前記ガス通過孔を避けて複数の溝状の空隙部が設けられるとともに、該空隙部は少なくとも一部が前記電極構成板の外周面に開口するように設けられており、前記両電極構成板の単位面積当たりの接触面積が、電極板の中央部に比べて外周部の方が小さく形成されていることを特徴とする。
【０００８】
この電極板においては、積層された電極構成板の対向面間の外周部に空隙部が設けられ、中央部よりも外周部の方が両電極構成板の単位面積当たりの接触面積が小さくなっている。このように、非接触部である空隙部が断熱空間として両電極構成板の間に介在することになるので、電極板の外周部の方が中央部より厚さ方向の熱伝達に対して断熱効果が大きく、周辺に放熱し易い電極板の外周部の厚さ方向への熱伝達を抑制して、電極板全体として外周部と中央部との温度差を小さくすることができる。これにより、電極板の均一な放熱性が得られるので、エッチング処理の面内均一性が向上する。
また、両電極構成板の外周部では接触面積が小さいことから密着力も小さくなり、プラズマ処理により消耗した電極構成板を交換する際、両電極構成板を容易に引き剥がすことが可能となる。加えて、空隙部は電極構成板の外周面に開口しているので、両電極構成板の一部が剥がされて対向面間に僅かな隙間ができると空隙部に空気が入り込み、積層された両電極構成板を容易に引き剥がすことが可能である。
さらに、空隙部を電極構成板の外周面に開口するように設けたことにより、隣り合う電極構成板で形成された空隙部に、外部から工具を差し込んで、両電極構成板を引き剥がすことも可能である。
そして、空隙部は、隣り合う電極構成板の一方のみに設けられる構成でもよいし、両方に設けられる構成でもよい。
【０００９】
また、本発明の電極板において、前記空隙部は、相互に連通状態に形成されているとよい。
各空隙部が互いに連通して設けられているので、隣り合う電極構成板の一部が剥がされて対向面間に僅かな隙間ができると、空隙部に順次空気が入り込み、積層された電極構成板を容易に引き剥がすことが可能となる。
【発明の効果】
【００１０】
本発明によれば、積層された電極構成板の外周部に空隙部を設けたことにより、隣り合う電極構成板を容易に引き剥がして交換できるだけでなく、放熱し易い外周部の厚さ方向の熱伝達を遮断し、電極板の中央部と外周部とで熱の伝達性を制御して面内均一なプラズマ処理を行わせることができる。
【図面の簡単な説明】
【００１１】
【図１】本発明の電極板の第１実施形態を示す（ａ）が電極構成板の背面図、（ｂ）が二枚の電極構成板を積層してなる電極板の縦断面図である。
【図２】図１の電極板が用いられるプラズマ処理装置の例を示す概略構成図である。
【図３】図１（ｂ）に示す二点鎖線で囲まれる要部Ｘの拡大図であり、電極板の放熱を説明する図である。
【図４】本発明の電極板の第２実施形態を示す（ａ）が電極構成板の背面図、（ｂ）が二枚の電極構成板を積層してなる電極板の縦断面図である。
【図５】本発明の電極板の第３実施形態を示す（ａ）が電極構成板の背面図、（ｂ）が図５（ａ）に示す電極板のＹ−Ｙ縦断面図である。
【発明を実施するための形態】
【００１２】
以下、本発明の電極板の実施形態を、図面を参照しながら説明する。
まず、この電極板が用いられるプラズマ処理装置としてプラズマエッチング装置１について説明する。
このプラズマエッチング装置１は、図２の概略断面図に示されるように、真空チャンバー２内の上部に電極板（上部電極）３が設けられるとともに、下部に上下動可能な架台（下部電極）４が電極板３と相互間隔をおいて平行に設けられている。この場合、上部の電極板３は絶縁体５により真空チャンバー２の壁に対して絶縁状態に支持されているとともに、架台４の上には、静電チャック６と、その周りを囲むシリコン製の支持リング７とが設けられており、静電チャック６の上に、支持リング７により周縁部を支持した状態でウエハ（被処理基板）８を載置するようになっている。また、真空チャンバー２の上部にはエッチングガス供給管９が設けられ、このエッチングガス供給管９から送られてきたエッチングガスは拡散部材１０を経由した後、電極板３に設けられたガス通過孔１１を通してウエハ８に向かって流され、真空チャンバー２の側部の排出口１２から外部に排出される構成とされている。一方、電極板３と架台４との間には高周波電源１３により高周波電圧が印加されるようになっている。
【００１３】
また、電極板３は、シリコンによって円板状に形成されており、その背面には熱伝導性に優れるアルミニウム等からなる冷却板１４が固定され、この冷却板１４にも電極板３のガス通過孔１１に連通するように、このガス通過孔１１と同じピッチで貫通孔１５が形成されている。そして、電極板３は、背面が冷却板に接触した状態でねじ止め等によってプラズマ処理装置１内に固定される。電極板３の詳細構造については後述する。
【００１４】
プラズマエッチング装置１では、高周波電源１３から高周波電圧を印加してエッチングガスを供給すると、このエッチングガスは拡散部材１０を経由して、電極板３に設けられたガス通過孔１１を通って電極板３と架台４との間の空間に放出され、この空間内でプラズマとなってウエハ８に当り、このプラズマによるスパッタリングすなわち物理反応と、エッチングガスの化学反応とにより、ウエハ８の表面がエッチングされる。
また、ウエハ８の均一なエッチングを行う目的で、発生したプラズマをウエハ８の中央部に集中させ、外周部へ拡散するのを阻止して電極板３とウエハ８との間に均一なプラズマを発生させるために、通常、プラズマ発生領域１６がシリコン製のシールドリング１７で囲われた状態とされている。
【００１５】
次に、電極板３の詳細構造について図１を参照しながら説明する。
この電極板３は、固定側電極構成板３ａと放電側電極構成板３ｂとを積層した構成とされ、両電極構成板３ａ，３ｂとも単結晶シリコン、柱状晶シリコン、又は多結晶シリコンにより円板状に形成されている。そして、ガス通過孔１１は両電極構成板３ａ，３ｂに、格子状に並んで多数設けられている。
また、固定側電極構成板３ａの積層面３１ａの外周部には、ガス通過孔１１を避けて円弧状に延びる凹部３２Ａ〜３２Ｅが複数設けられており、この円弧状に設けられた凹部３２Ａ〜３２Ｅの端部が、固定側電極構成板３ａの外周面に開口するように設けられている。そして、この凹部３２Ａ〜３２Ｅに放電側電極構成板３ｂの積層面３１ｂを対向させて両電極構成板３ａ，３ｂが積層されていることにより、固定側電極構成板３ａの凹部３２Ａ〜３２Ｅと、放電側電極構成板３ｂの積層面３１ｂとの間に、空隙部ｓ１が形成されている。
【００１６】
このように構成した電極板３において、プラズマエッチング処理中に上昇する電極板３の熱は、冷却板１４を通して放熱される。図３に示す実線矢印は、冷却板１４による熱の流れを表しており、破線矢印は電極板３の外周面における放熱を表している。
電極板３の中央部では、放電側電極構成板３ｂで上昇した熱が、この放電側電極構成板３ｂに密着している固定側電極構成板３ａを介して速やかに冷却板１４に熱伝達される。一方、電極板３の外周部では、図３に示すように、外周面から一部は放熱されるが、両電極構成板３ａ，３ｂの間に空隙部ｓ１が介在しているので、放電側電極構成板３ｂから固定側電極構成板３ａへの熱伝達が空隙部ｓ１により遮断され、その分、熱伝達が抑制される。
このように、電極板３は厚さ方向の熱伝達が中央部よりも外周部で進みにくい状態となっているので、その外周部は本来、半径方向等の周辺には放熱されやすい状態であることにより、これらの総和として、電極板３全体としては面内で均等に放熱されることになる。これにより、電極板３の中央部と外周部との間に温度差が生じるのを防ぎ、温度を面内で均一にし、プラズマ処理の面内均一性、例えば、エッチング深さの面内均一性を向上させることができる。
【００１７】
また、電極板３の放電側電極構成板３ｂは、プラズマ処理を繰り返して行うことによりプラズマにさらされる部分が削られて消耗するため、装置の稼働時間に合わせて交換を必要とされる。本発明に係る電極板３においては、固定側電極構成板３ａに設けられた凹部３２Ａ〜３２Ｅによって、両電極構成板３ａ，３ｂの外周部で接触面積が小さくなっており、それに伴って外周部の密着力が小さくなっている。そのため、固定側電極構成板３ａ及び放電側電極構成板３ｂを容易に引き剥がし、放電側電極構成板３ｂだけを交換することができる。
また、固定側電極構成板３ａに設けられた凹部３２Ａ〜３２Ｅの端部は、固定側電極構成板３ａの外周面に開口して設けられているので、両電極構成板３ａ，３ｂの一部が引き剥がされて対向面間に僅かな隙間ができると、空隙部ｓ１に空気が入り込み、積層された両電極構成板を容易に引き剥がすことが可能である。
さらに、空隙部ｓ１の開口部に、外部から工具を差し込んで、密着した両電極構成板３ａ，３ｂを引き剥がすことも可能である。
【００１８】
第１実施形態では空隙部ｓ１を固定側電極構成板３ａに設けられた凹部３２Ａ〜３２Ｅにより円弧状に設けたが、図４に示す第２実施形態では、凹部２２Ａ及び２２Ｂは電極板２０に格子状に設けられるガス通過孔１１のピッチ間に、直線状に設けられている。
この第２実施形態の電極板２０のように凹部を２２Ａ及び２２Ｂを設けた場合であっても、電極板２０の外周部の接触面積を少なくして熱伝達を抑制することが可能であり、積層された両電極構成板２０ａ，２０ｂを容易に分離することができる。
【００１９】
図５は本発明の電極板の第３実施形態を示している。
この実施形態の電極板４０は、固定側電極構成板４０ａ及び放電側電極構成板４０ｂに、ガス通過孔１１が径の異なる同心円上に並んで多数設けられている。そして、固定側電極構成板４０ａの外周部には、この同心円上に設けられたガス通過孔１１のピッチ円間に凹部４２Ａ〜４２Ｃが設けられるとともに、この凹部４２Ａ〜４２Ｃに直交する直線状の複数の凹部４２Ｄが放射状に設けられており、各凹部が繋がって形成されている。また、凹部４２Ａ〜４２Ｃは電極板４０の外周に近づくほど幅を広く設けられており、凹部４２Ａ〜４２Ｃによる断熱効果が外周面に近い位置では大きくなっている。
【００２０】
各凹部４２Ａ〜４２Ｄが互いに連通しており、これら凹部４２Ａ〜４２Ｄに対向させて放電側電極構成板４０ｂが積層されていることにより、固定側電極構成板４０ａの凹部４２Ａ〜４２Ｄと、放電側電極構成板４０ｂとの間に、空隙部ｓ３が形成されている。これにより、固定側電極構成板４０ａ及び放電側電極構成板４０ｂの一部が剥がされて対向面間に僅かな隙間ができると、空隙部ｓ３に順次空気が入り込み、積層された両電極構成板４０ａ，４０ｂを容易に引き剥がすことが可能となる。また、電極板４０の厚さ方向の熱伝達が、外周部に近づくほど抑制されるので、電極板４０の温度分布をより均一に保つことができ、電極板４０の中央部と外周部との温度を面内で均一にして、プラズマ処理の面内均一性を向上させることができる。
【００２１】
なお、本発明は上記実施形態に限定されるものではなく、本発明の趣旨を逸脱しない範囲において種々の変更を加えることが可能である。
例えば、実施形態１の電極板３に設けた空隙部ｓ１は、固定側電極構成板３ａに設けた同幅の凹部３２Ａ〜３２Ｅにより構成したが、実施形態３の凹部４２Ａ〜４２Ｃのように、例えば、固定側電極構成板３ａの外周面に近づくほど溝幅を広く設けて空隙部ｓ１を構成してもよく、この場合、電極板３の外周部では、厚さ方向の熱伝達をより抑制することができる。
また、上述の実施形態では、固定側電極構成板だけに凹部を設けて空隙部を構成したが、放電側電極構成板に凹部を設ける構成としてもよい。さらに、隣り合う電極構成板の両方に凹部を設けて空隙部を構成してもよい。
【符号の説明】
【００２２】
１  プラズマ処理装置
２  真空チャンバー
３，２０，４０  電極板
３ａ，２０ａ，４０ａ  固定側電極構成板
３ｂ，２０ｂ，４０ｂ  放電側電極構成板
４  架台
５  絶縁体
６  静電チャック
７  支持リング
８  ウエハ
９  エッチングガス供給管
１０  拡散部材
１１  ガス通過孔
１２  排出口
１３  高周波電源
１４  冷却板
１５  貫通孔
１６  プラズマ発生領域
１７  シールドリング
２２Ａ，２２Ｂ，３２Ａ〜３２Ｅ，４２Ａ〜４２Ｄ  凹部
３１ａ，３１ｂ  積層面
ｓ１，ｓ２，ｓ３  空隙部
【図１】
2011129557.tif 000003
【図２】
2011129557.tif 000004
【図３】
2011129557.tif 000005
【図４】
2011129557.tif 000006
【図５】
2011129557.tif 000007